(57)【特許請求の範囲】
【請求項１】
音声入力部と、
他の通信装置との間で通信を行う通信部と、
半二重の通話方式によるグループ通話の発言権の取得状態を管理する管理部と、
音声データを生成する生成部と、
前記発言権が取得された状態において、前記音声データを、前記グループ通話を管理する管理装置へ送信するように前記通信部を制御する通話制御部と、
予め定められた定型音声と、前記定型音声を特定するための識別情報とを記憶する記憶部と、を備え、
前記生成部は、前記発言権が取得された状態において、前記管理装置から前記識別情報を受信したとき、前記識別情報に対応した前記定型音声と、前記音声入力部に入力された音声とに基づき、前記音声データを生成する、
ことを特徴とする通信装置。
【請求項２】
請求項１に記載の通信装置において、
複数の前記定型音声の中から１つの定型音声を指定するための操作部をさらに備え、
前記通話制御部は、前記発言権が取得されていない状態において、前記操作部に対し前記１つの定型音声を指定する操作がなされた場合、前記１つの定型音声に対応する前記識別情報を前記管理装置へ送信させるよう前記通信部を制御する、
ことを特徴とする通信装置。
【請求項３】
請求項１または２に記載の通信装置において、
音声出力部をさらに備え、
前記通話制御部は、前記発言権が取得された状態において、前記識別情報を受信した場合、前記識別情報に対応した前記定型音声を前記音声出力部に出力させる、
ことを特徴とする通信装置。
【請求項４】
請求項１ないし３の何れか一項に記載の通信装置において、
光または振動を出力する報知部をさらに備え、
前記記憶部は、前記識別情報に対応する前記報知部からの前記光または前記振動の出力パターンを記憶し、
前記通話制御部は、前記発言権が取得された状態において、前記識別情報を受信した場合、前記識別情報に対応した前記出力パターンで、前記光または前記振動を前記報知部に出力させる、
ことを特徴とする通信装置。
【請求項５】
請求項１ないし４の何れか一項に記載の通信装置において、
前記生成部は、前記管理装置から前記識別情報を受信したとき、前記音声に、前記識別情報に対応した前記定型音声を合成した合成音声を表す前記音声データを生成する、
ことを特徴とする通信装置。
【請求項６】
請求項５に記載の通信装置において、
前記生成部は、前記定型音声の音量が前記音声の音量より小さくなるように、前記音声に前記定型音声を合成する、
ことを特徴とする通信装置。
【請求項７】
音声入力部と、他の通信装置との間で通信を行う通信部と、を有する通信装置のコンピュータに、
半二重の通話方式のグループ通話の発言権の取得状態を管理する機能と、
前記発言権が取得された状態において、音声データを、前記グループ通話を管理する管理装置へ送信する機能と、
前記発言権が取得された状態において、前記管理装置から所定の識別情報を受信したとき、当該識別情報に対応した定型音声と、前記音声入力部に入力された音声とに基づき、前記音声データを生成する機能とを実行させる、
ことを特徴とするプログラム。
【請求項８】
音声入力部と、他の通信装置との間で通信を行う通信部とを有する通信装置が、前記他の通信装置との間で半二重の通話方式のグループ通話を行う際の、前記通信装置における音声データ送信方法において、
前記グループ通話の発言権が取得された状態において、音声データを、前記グループ通話を管理する管理装置へ送信する音声送信ステップを含み、
前記音声送信ステップは、前記管理装置から所定の識別情報を受信したとき、当該識別情報に対応した定型音声と、前記音声入力部に入力された音声とに基づき、前記音声データを生成するステップを含む、
を含むことを特徴とする音声データ送信方法。
【発明の詳細な説明】
【技術分野】
【０００１】
本発明は、携帯電話機、ＰＤＡ（PersonalDigital Assistant）、タブレットＰＣ（Tablet PC）、電子書籍端末等の携帯端末装置を含む通信装置、および当該通信装置に用いて好適なプログラムと音声データ送信方法に関するものである。
【背景技術】
【０００２】
従来、同時に複数の相手と通話できるグループ通話の機能を備えた通信装置が知られている。たとえば、プッシュ・トゥ・トーク（Push To Talk。以下、「ＰＴＴ」と言う。）通信システムを利用した、半二重の通話方式のグループ通話が可能な携帯電話機が知られている（たとえば、特許文献１）。
【０００３】
半二重の通話方式のグループ通話では、所定の携帯電話機に発言権が付与される。発言権が付与された携帯電話機に入力された音声は、サーバを介して、グループ通話に参加している他の携帯電話機へ送信される。発言権が付与されていない携帯電話機に音声が入力されても、入力された音声は、グループ通話に参加している他の携帯電話機へ送信されない。
【０００４】
特許文献１の構成によれば、携帯電話機の所定のキーが押下されると、携帯電話機に発言権が与えられる。当該携帯電話機を持つユーザは、トランシーバを利用しているときのように当該キーを押下し続けながら、グループ通話の参加者へ発言できる。
【先行技術文献】
【特許文献】
【０００５】
【特許文献１】特開２００６−１９７１１６号公報
【発明の概要】
【発明が解決しようとする課題】
【０００６】
上記の構成では、携帯電話機に発言権が付与されない限り、携帯電話機を持つユーザは他のユーザへ発言できない。このため、発言権が付与されない携帯電話機を持つユーザは、発言権が付与された他の携帯電話機を介してユーザが発言しているときには、グループ通話の参加者へ即時的に意思表示を行えない。
【０００７】
本発明は、かかる課題に鑑みてなされたものであり、半二重の通話方式のグループ通話の際、発言権が付与されていない他の通信装置を持つユーザが、グループ通話の参加者へ即時的に意思表示を行うことを可能とする通信装置、プログラムおよび音声データ送信方法を提供することを目的とする。
【課題を解決するための手段】
【０００８】
本発明の第１の態様は、通信装置に関する。本態様に係る通信装置は、音声入力部と、他の通信装置との間で通信を行う通信部と、半二重の通話方式によるグループ通話の発言権の取得状態を管理する管理部と、音声データを生成する生成部と、前記発言権が取得された状態において、前記音声データを、前記グループ通話を管理する管理装置へ送信するように前記通信部を制御する通話制御部と、予め定められた定型音声と、前記定型音声を特定するための識別情報とを記憶する記憶部と、を備える。ここで、前記生成部は、前記発言権が取得された状態において、前記管理装置から前記識別情報を受信したとき、前記識別情報に対応した前記定型音声と、前記音声入力部に入力された音声とに基づき、前記
音声データを生成する。
【０００９】
本態様に係る通信装置は、複数の前記定型音声の中から１つの定型音声を指定するための操作部をさらに備え得る。この場合、前記通話制御部は、前記発言権が取得されていない状態において、前記操作部に対し前記１つの定型音声を指定する操作がなされた場合、前記１つの定型音声に対応する前記識別情報を前記管理装置へ送信させるよう前記通信部を制御する。
【００１０】
また、本態様に係る通信装置は、音声出力部をさらに備え得る。この場合、前記通話制御部は、前記発言権が取得された状態において、前記識別情報を受信した場合、前記識別情報に対応した前記定型音声を前記音声出力部に出力させる。
【００１１】
また、本態様に係る通信装置は、光または振動を出力する報知部をさらに備え得る。この場合、前記記憶部は、前記識別情報に対応する前記報知部からの前記光または前記振動の出力パターンを記憶し、前記通話制御部は、前記発言権が取得された状態において、前記識別情報を受信した場合、前記識別情報に対応した前記出力パターンで、前記光または前記振動を前記報知部に出力させる。
【００１２】
また、本態様に係る通信装置において、前記生成部は、前記管理装置から前記識別情報を受信したとき、前記音声に、前記識別情報に対応した前記定型音声を合成した合成音声を表す前記音声データを生成し得る。
【００１３】
さらに、本態様に係る通信装置において、前記生成部は、前記定型音声の音量が前記音声の音量より小さくなるように、前記音声に前記定型音声を合成し得る。
【００１４】
本発明の第２の態様は、プログラムに関する。本態様に係るプログラムは、音声入力部と、他の通信装置との間で通信を行う通信部と、を有する通信装置のコンピュータに、半二重の通話方式のグループ通話の発言権の取得状態を管理する機能と、前記発言権が取得された状態において、音声データを、前記グループ通話を管理する管理装置へ送信する機能と、前記発言権が取得された状態において、前記管理装置から所定の識別情報を受信したとき、当該識別情報に対応した定型音声と、前記音声入力部に入力された音声とに基づき、前記音声データを生成する機能とを実行させる。
【００１５】
本発明の第３の態様は、音声入力部と、他の通信装置との間で通信を行う通信部とを有する通信装置が、前記他の通信装置との間で半二重の通話方式のグループ通話を行う際の、前記通信装置における音声データ送信方法に関する。本態様に係る音声データ送信方法において、前記グループ通話の発言権が取得された状態において、音声データを、前記グループ通話を管理する管理装置へ送信する音声送信ステップを含む。ここで、前記音声送信ステップは、前記管理装置から所定の識別情報を受信したとき、当該識別情報に対応した定型音声と、前記音声入力部に入力された音声とに基づき、前記音声データを生成するステップを含む。
【発明の効果】
【００１８】
本発明によれば、半二重の通話方式のグループ通話の際、発言権が付与されていない他の通信装置を持つユーザが、グループ通話の参加者へ即時的に意思表示を行うことを可能とする通信装置、プログラムおよび音声データ送信方法を提供することができる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２０】
【図１】実施の形態に係る、携帯電話機の外観構成を示す図である。
【図２】実施の形態に係る、携帯電話機の全体構成を示すブロック図である。
【図３】ＰＴＴ通信システムの全体構成を示す概念図である。
【図４】ＰＴＴ通信システムにおけるグループ通話の動作を模式的に示す図である。
【図５】実施の形態に係る発言権取得状態の管理テーブルと定型音声テーブルである。
【図６】実施の形態に係る携帯電話機、通信装置およびＰＴＴサーバとの間で送受信されるキー押下情報、定型音声コマンドおよびＰＴＴ音声データを説明するためのシーケンス図である。
【図７】実施の形態に係る携帯電話機が発言権を取得している際に実行される、ＰＴＴ音声データの送信のための処理を示すフローチャートである。
【図８】実施の形態に係る携帯電話機が発言権を取得していないときに実行される、キー押下情報の送信のための処理を示すフローチャートと、ＰＴＴサーバにおいて実行される、キー押下情報の受信に応じて定型音声コマンドを送信するための処理を示すフローチャートである。
【図９】実施の形態に係る携帯電話機、通信装置およびＰＴＴサーバとの間で送受信されるキー押下情報、定型音声コマンドおよびＰＴＴ音声データを説明するためのシーケンス図である。
【図１０】変更例に係る携帯電話機が発言権を取得している際に実行される、ＰＴＴ音声データの送信のための処理を示すフローチャートである。
【発明を実施するための形態】
【００２１】
以下、本発明の実施の形態について、図面を参照して説明する。図１（ａ）は、第１キャビネット１０と第２キャビネット２０が並べられ、開いた状態の携帯電話機１の外観構成を示す。図１（ｂ）は、第１キャビネット１０と第２キャビネット２０が重ねられ、閉じた状態の携帯電話機１の外観構成を示す。図１（ｃ）は、第１キャビネット１０の背面図である。
【００２２】
携帯電話機１は、第１キャビネット１０と第２キャビネット２０を有する。第２キャビ
ネット２０は、ヒンジ部３０によって、第１キャビネット１０に対し回転可能に連結されている。
【００２３】
第１キャビネット１０の正面には、複数のキーからなるキー操作部１１と、マイク１２とが設けられている。
【００２４】
キー操作部１１は、図示の如く、ダイヤルキー１１ａを含む。
【００２５】
ダイヤルキー１１ａの各キーには、キートップに表示されている数字または記号の通り、数字「０」〜「９」または記号「＊」、「＃」を入力する機能が割り当てられている。以後、ダイヤルキー１１ａの各キーを、キートップに表示されている数字または記号に対応して、「０」キー〜「９」キー、「＊」キーおよび「＃」キーと言う。
【００２６】
第１キャビネット１０の右側（Ｘ軸正方向の側）の側面部には、キー１３が配されている。キー１３は、主として音量を大きくまたは小さく設定するために用いられる。第１キャビネット１０の背面には、スピーカ１４が配されている。
【００２７】
また、図１（ｃ）に示す如く、第１キャビネット１０にはバイブレータ１５が内蔵されている。また、キー操作部１１の各キーの背後には、キーを背後から照明するためのキーバックライト１１１（図２）が配されている。
【００２８】
第２キャビネット２０の正面側には、ディスプレイ２１を構成する液晶パネル２１ａ、とスピーカ２２が設けられている。
【００２９】
また、第２キャビネット２０の正面には、ディスプレイ２１の表示面２１ｂが外部に現れている。液晶パネル２１ａの背後には、ディスプレイ２１を構成するパネルバックライト２１ｃが配されている。パネルバックライト２１ｃは、光源となるＬＥＤを備え、液晶パネル２１ａに光を供給する。
【００３０】
図２は、携帯電話機１の全体構成を示すブロック図である。
【００３１】
携帯電話機１は、上述の各構成要素の他、ＣＰＵ１００、メモリ１０１、通信モジュール１０２、キー入力回路１０３、音声エンコーダ１０４、バックライト駆動回路１０５、映像デコーダ１０７、音声デコーダ１０６、タイマー１０８、振動駆動装置１０９、ＬＥＤ制御回路１１０、キーバックライト１１１を備える。
【００３２】
メモリ１０１は、ＲＯＭおよびＲＡＭを含む記憶部である。メモリ１０１には、ＣＰＵ１００に制御機能を付与するための制御プログラム、各種アプリケーション等が記憶されている。
【００３３】
また、メモリ１０１は、ＣＰＵ１００のワーキングメモリとしても利用される。すなわち、メモリ１０１は、各種のアプリケーションプログラムが実行される際、一時的に利用または生成されるデータを記憶する。
【００３４】
また、メモリ１０１は、ＰＴＴ通信システム（図３、図４参照）を利用したグループ通話のためのアプリケーション、発言権フラグ（図５（ａ））および定型音声対応テーブル（図５（ｂ））のデータを予め記憶している。
【００３５】
ＣＰＵ１００は、制御プログラムやアプリケーションに従って、通信モジュール１０２、音声エンコーダ１０４、バックライト駆動回路１０５、音声デコーダ１０６、映像デコ
ーダ１０７、タイマー１０８、振動駆動装置１０９、ＬＥＤ制御回路１１０等、携帯電話機１の各部を制御する。
【００３６】
通信モジュール１０２は、無線ＬＡＮアクセスポイントや基地局を介して、有線または無線の専用回線またはインターネットにより構成される通信網に接続し、他の通信装置と通信する。通信モジュール１０２は、ＣＰＵ１００による制御に基づき、通話やアプリケーションの実行に基づく信号やデータを、他の通信装置との間で送受信する。
【００３７】
キー入力回路１０３は、キー操作部１１のキーが操作されたときに、押下されたキーに応じた入力信号をＣＰＵ１００へ出力する。
【００３８】
音声エンコーダ１０４は、マイク１２が入力した音声に基づいて生成されるアナログの音声信号をデジタルの音声信号に変換するとともに、デジタルの音声信号にエンコード処理を施して、ＣＰＵ１００へ出力する。
【００３９】
バックライト駆動回路１０５は、ＣＰＵ１００からの制御信号に応じて、パネルバックライト２１ｃに電圧信号を供給する。パネルバックライト２１ｃは、バックライト駆動回路１０５からの電圧信号に基づいて点灯および消灯する。
【００４０】
映像デコーダ１０７は、ＣＰＵ１００からの映像信号を、液晶パネル２１ａで表示できるアナログ若しくはデジタルの映像信号に変換し、液晶パネル２１ａに出力する。液晶パネル２１ａは、映像信号に応じた画像を表示面２１ｂ上に表示する。
【００４１】
音声デコーダ１０６は、ＣＰＵ１００からの音声信号にデコード処理を施し、さらにアナログの音声信号に変換してスピーカ１４、２２の一方または両方に出力する。スピーカ１４、２２は、音声デコーダ１０６からの音声信号に基づいて音を携帯電話機１の外部へ出力する。
【００４２】
タイマー１０８は、時間を計測してＣＰＵ１００へ出力する。
【００４３】
振動駆動装置１０９は、ＣＰＵ１００による制御に基づき、バイブレータ１５を駆動させる。
【００４４】
ＬＥＤ制御回路１１０は、ＣＰＵ１００による制御に基づき、上述の各キーバックライト１１１をそれぞれ点灯するよう制御する。バイブレータ１５が駆動し、または、キーバックライト１１１が点灯することにより、電子メールの着信、スケジュール管理等、各種のイベントが視覚的に通知される。
【００４５】
図３は、ＰＴＴ通信システムの全体構成を示す概念図である。ＰＴＴ通信システム２は、携帯電話機１のユーザ１と他の通信装置２０１を使用する他のユーザ２、３が、グループ通話を行うためのシステムである。ＰＴＴ通信システム２の動作内容については、図４を用いて、追って説明する。
【００４６】
ＰＴＴ通信システム２は、携帯電話機１、通信装置２０１、ＰＴＴサーバ２０２およびこれらを接続する通信網２０３により構成される。グループ通話の際、携帯電話機１と通信装置２０１との間の通信は、ＰＴＴサーバ２０２を介して行われる。
【００４７】
なお、通信装置２０１は、携帯電話機、電話機、パソコン等の、本実施の形態で説明されるグループ通話の機能を備えた通信装置である。以下では、便宜上、通信装置２０１は、携帯電話機１と同型の携帯電話機であることとする。
【００４８】
ＰＴＴ通信システム２により実現されるグループ通話は、半二重の通話方式、すなわち、通信網２０３に沿って送信される通話のための音声のデータは、一時に一方向にのみ送信可能となる方式を採用する。
【００４９】
ＰＴＴサーバ２０２は、グループ通話が適正に行われるようＰＴＴ通信システム２を全体的に管理する。
【００５０】
通信網２０３は、上述の基地局を介して、携帯電話機１および通信装置２０１とＰＴＴサーバ２０２とを双方向に通信可能に接続する。通信網２０３を介して、グループ通話のための各種の信号とグループ通話の音声のデータ（以下、「ＰＴＴ音声データ」と言う。）が上り方向（ＰＴＴサーバ２０２へ向けた方向）またはその逆の下り方向へ送信される。
【００５１】
ＰＴＴサーバ２０２は、ＣＰＵ２０２ａと通信部２０２ｂとを備える。ＣＰＵ２０２ａは、グループ通話に参加する通信装置（携帯電話機１、通信装置２０１）に発言権を付与して管理する処理と、発言権を取得している受信したＰＴＴ音声データを、発言権を付与していない他の通信装置へ送信する処理と、通信装置（携帯電話機１、通信装置２０１）から受信した識別情報を含む信号（キー押下情報）の受信に応じて、当該識別情報を含む信号（定型音声コマンド）を、発言権を付与している通信装置（携帯電話機１、通信装置２０１）へ送信する処理と、を実行する。これらの信号およびデータは、通信部２０２ｂから受信または送信される。ＰＴＴサーバ２０２において実行されるこれらの処理については、図６と図８（ｂ）を用いて追って詳述する。
【００５２】
ここで、「発言権」とは、マイク１２より入力されたＰＴＴ音声データをグループ通話に参加している他の通信装置へ送信できる権利である。発言権は、ＰＴＴサーバ２０２により、発言権の取得を要求した通信装置へ与えられる。また、ユーザが発言権を取得するとは、正確には、ユーザがグループ通話に使用している通信装置が発言権を取得することを意味する。
【００５３】
ＰＴＴ通信システム２を利用したグループ通話のための、携帯電話機１とＰＴＴサーバ２０２との間の通信、発言権の取得状態の管理等に係る処理は、ＣＰＵ１００により実行される。
【００５４】
なお、図３には、携帯電話機１と２台の通信装置２０１との間の１：２通信のＰＴＴ通信システム２の構成例が示されている。しかし、実際には、ＰＴＴ通信システム２の利用により、１台の通信装置２０１との間の通話（１：１通信）と、３台以上の通信装置２０１との間の通話（１：Ｎ通信。Ｎ≧３）も可能である。以下では、図３、図４、図６および図９に示されているように、１：２通信の場合を例にして、本実施の形態について説明する。
【００５５】
図４は、ＰＴＴ通信システム２の基本動作の内容について説明するための図である。通信網２０３の矢印の向きは、携帯電話機１が発言権を取得しているときの、ＰＴＴ音声データが流れる方向を表している。
【００５６】
図５（ｂ）の管理テーブルは、メモリ１０１に記憶される、発言権の取得状態を表す発言権フラグの値を説明するためのテーブルである。発言権フラグは、発言権が取得されている状態において値０に設定され、発言権が取得されていない状態において値１に設定される。発言権フラグの初期値は０である。発言権フラグの設定は、グループ通話の発言権の取得状態に応じて、ＣＰＵ１００によりなされる。
【００５７】
ユーザ１〜３によってＰＴＴ通信システム２の利用によるグループ通話が開始されると、ＰＴＴサーバ２０２は、まず、携帯電話機１または通信装置２０１から発言権要求信号を受け付ける。
【００５８】
たとえば、携帯電話機１のユーザにより所定の操作（たとえばキー１３を押下する操作）がなされると、ＣＰＵ１００は、ＰＴＴサーバ２０２へ発言権要求信号を送信する。ＰＴＴサーバ２０２は、この発言権要求信号を受信し、且つ、他に発言権を与えている通信装置が存在しない場合、携帯電話機１に発言権を与えることを伝える信号を送信する。同時に、ＰＴＴサーバ２０２は、携帯電話機１から受信するＰＴＴ音声データを、発言権を取得していない通信装置（この場合は、通信装置２０１）へ送信する処理を開始する。
【００５９】
ＣＰＵ１００は、発言権を取得すると、発言権フラグを１に設定する。携帯電話機１が発言権を取得している間、マイク１２から入力された音声に基づきＰＴＴ音声データが生成され、生成されたＰＴＴ音声データがＰＴＴサーバ２０２へ送信される。これにより、携帯電話機１が発言権を取得している間、ユーザ２、３は、ユーザ１の発言を聞くことができる。
【００６０】
キー１３の押下が継続する間、携帯電話機１は継続して発言権を保持することができる。キー１３の押下が止められた場合、または、キー１３の押下が継続していてもキー１３が押下されてから所定時間以上経過した場合、携帯電話機１の発言権は取り消される（発言権フラグは０に設定される）。発言権フラグが０に設定された場合、グループ通話の発言権がどの通信装置にも与えられない状態となり、ＰＴＴサーバ２０２は、新たな発言権要求信号を受け付ける。このようにして、ＰＴＴ通信システム２の利用によるグループ通話がなされる。
【００６１】
さて、従来のＰＴＴ通信システムを利用したグループ通話において、グループ通話に参加するユーザは、発言権を取得しない限り発言できない。本実施の形態に係る構成は、一のユーザが発言権を取得している間であっても、発言権を取得していない他のユーザが、グループ通話の参加者に対し即時的に意思表示できるための構成を有する。以下に、発言権のないユーザが即時的な意思表示を可能とするための構成について説明する。
【００６２】
図５（ｂ）は、定型音声対応テーブルの例である。定型音声対応テーブルは、定型音声と、定型音声を特定するための識別番号（図５（ｂ）の場合は、１〜８）との対応関係を定義する表である。図５（ｂ）の定型音声対応テーブルによると、たとえば識別番号１番には、定型音声「パチパチ」（賛同を表現する拍手の音声）が対応する。識別番号２番には、定型音声「ブーブー」（不満・不服の意を表す音声）が対応する。
【００６３】
メモリ１０１は、図５（ｂ）の定型音声対応テーブルとともに、各定型音声のデータ（以下、「定型音声データ」と言う。）を、予め記憶している。グループ通話に参加する他の通信装置２０１は、携帯電話機１と同じ構成の携帯電話機であり、他の通信装置２０１のメモリにも、携帯電話機１のメモリ１０１が記憶しているものと同じ定型音声対応テーブル（図５（ｂ））と定型音声データが予め記憶されている。これにより、携帯電話機１と通信装置２０１は、同じ識別番号に基づき、同一の定型音声データを特定できる。
【００６４】
なお、当該対応テーブルおよび定型音声データは、ダウンロード、外部記憶メディアからのインポート等、各種の方法により、新規または追加的に取得できる構成が採られてもよい。
【００６５】
図６は、携帯電話機１が発言権を取得している状態において、発言権を取得していない
通信装置２０１のユーザ２が即時的に意思表示するときの、携帯電話機１、通信装置２０１およびＰＴＴサーバ２０２との間で送受信される信号（キー押下情報、定型音声コマンド）およびＰＴＴ音声データを説明するためのシーケンス図である。図６における左右方向の矢印は、信号またはＰＴＴ音声データが流れる方向を表す。また、縦軸下方向が、シーケンス図の時間の進行方向である。
【００６６】
図７は、携帯電話機１が発言権を取得している際に実行される、ＰＴＴ音声データの送信のための処理を説明するフローチャートである。図８（ａ）は、携帯電話機１が発言権を取得していない際に実行される、キー押下情報の送信のための処理を説明するフローチャートである。図８（ｂ）は、ＰＴＴサーバ２０２において実行される定型音声コマンドを、発言権を取得している携帯電話機１または通信装置２０１へ送信するための処理を説明するフローチャートである。
【００６７】
なお、図７と図８（ａ）に示される処理は、グループ通話の際、携帯電話機１と同型である通信装置２０１においても実行される。すなわち、携帯電話機１が発言権を取得している間、通信装置２０１は、図８（ａ）の処理を実行する。また、通信装置２０１は、自身が発言権を取得している間、図７の処理を実行する。
【００６８】
図７の処理について説明する。ＣＰＵ１００は、まず、定型音声コマンド（後述）をＰＴＴサーバ２０２から受信しない間（Ｓ１０１：ＮＯ）、マイク１２から入力した入力音声からＰＴＴ音声データを生成し（Ｓ１０２）、ＰＴＴサーバ２０２へ送信する（Ｓ１０３）。
【００６９】
図４で説明したように、ＰＴＴサーバ２０２は、受信したＰＴＴ音声データを、発言権を取得していない通信装置２０１へ転送する。このようなＰＴＴ音声データの送信は、携帯電話機１が発言権を取得している間、すなわち発言権フラグが１に設定されている間、継続される（Ｓ１０４：ＹＥＳ）。これにより、通信装置２０１のユーザ２、３は、ユーザ１の発言を聞くことができる。
【００７０】
携帯電話機１が発言権を保有する間、通信装置２０１のＣＰＵ１００は、図８（ａ）の処理を実行する。ステップＳ１１１において、ＣＰＵ１００は、「１」キー〜「８」キーのうち何れかのキーが押下された場合、対応する定型音声が指定される操作がなされたと判定する。すなわち、ＣＰＵ１００は、押下されたキーに対応する数字を識別番号とする定型音声が指定されたと判定する。
【００７１】
たとえば、ユーザ２の通信装置２０１において、「２」キーの押下により定型音声「ブーブー」を指定する操作がなされた場合、通信装置２０１のＣＰＵ１００は、定型音声による意思表明のための操作があったとして（Ｓ１１１：ＹＥＳ）、押下されたキーに対応した識別番号を含むキー押下情報Ａ１（図６参照）をＰＴＴサーバ２０２へ送信する（Ｓ１１３）。
【００７２】
通信装置２０１が発言権を取得しない間（Ｓ１１２：ＮＯ）、すなわち発言権フラグが０に設定されている間、上述の定型音声を指定する操作に対応して、キー押下情報Ａ１がＰＴＴサーバ２０２へ送信される。通信装置２０１が発言権を取得すると（Ｓ１１２：ＹＥＳ）、すなわち発言権フラグが１に設定されると、通信装置２０１が実行していた図８（ａ）の処理は終了される。
【００７３】
さて、グループ通話の際、ＰＴＴサーバ２０２は、携帯電話機１または通信装置２０１へ発言権を与えている間、キー押下情報Ａ１の受信を受け付ける。
【００７４】
図６と図８（ｂ）を参照して、ＰＴＴサーバ２０２は、ユーザ２が使用する通信装置２０１が送信したキー押下情報Ａ１を受信すると（Ｓ１２１：ＹＥＳ）、キー押下情報Ａ１により指定された識別番号を含む定型音声コマンドＡ２を、現在発言権を取得している携帯電話機１へ送信する（Ｓ１２２）。グループ通話が行われている間（Ｓ１２３：ＮＯ）、ＰＴＴサーバ２０２は、キー押下情報Ａ１の受信に応じて、ステップＳ１２２の処理を実行する。
【００７５】
図７に戻り、ＣＰＵ１００は、ステップＳ１０１において、ＰＴＴサーバ２０２からの定型音声コマンドＡ２を受信すると（Ｓ１０１：ＹＥＳ）、ステップＳ１０５〜Ｓ１０８の処理を実行する。
【００７６】
まず、ＣＰＵ１００は、受信した定型音声コマンドＡ２により指定された識別番号（２番）に対応する定型音声データ（「ブーブー」）をメモリ１０１から取得する（Ｓ１０５）。そして、ＣＰＵ１００は、マイク１２から入力した入力音声に当該定型音声が合成されたＰＴＴ音声データＡ３を生成する（Ｓ１０６）。そして、ＣＰＵ１００は生成されたＰＴＴ音声データＡ３を、ＰＴＴサーバ２０２へ送信する（Ｓ１０７）。
【００７７】
このように携帯電話機１から送信されたＰＴＴ音声データＡ３は、ＰＴＴサーバ２０２により、発言権を取得していない他の通信装置２０１へ転送される。
【００７８】
ユーザ２、３が使用する通信装置２０１がＰＴＴ音声データＡ３を受信すると、ＰＴＴ音声データＡ３に基づく音声が、ユーザ２、３が使用する通信装置２０１のスピーカ１４、２２の一方または両方から出力される。出力される音声には、ユーザ１が発した音声に、ユーザ２が表明した意思を表す定型音声が合成されている。発言権を取得していないユーザ３は、このように出力された定型音声の合成後の音声を聞くことによって、発言権を取得していない他のユーザからの意思の表明を認識できる。
【００７９】
図６のシーケンス図に示す通り、キー押下情報Ａ１、定型音声コマンドＡ２およびＰＴＴ音声データＡ３は、携帯電話機１が発言権を取得している間であっても随時送受信され、ユーザ２が指定した定型音声は、即時的に、携帯電話機１と通信装置２０１において再生される。
【００８０】
図９は、携帯電話機１が発言権を取得していない状態において、携帯電話機１のユーザ１がグループ通話の参加者へ即時的に意思表示するときの、携帯電話機１、通信装置２０１およびＰＴＴサーバ２０２との間で送受信される信号（キー押下情報、定型音声コマンド）およびＰＴＴ音声データの流れを説明するためのシーケンス図である。
【００８１】
ユーザ２の通信装置２０１が発言権を取得している場合には、当該通信装置２０１が、上述の発言権を取得した状態の携帯電話機１と同様に動作する。この場合、発言権を取得していない状態の携帯電話機１は、上述のユーザ２の通信装置２０１と同様に動作する。すなわち、携帯電話機１のＣＰＵ１００は、図８（ａ）に示すフローチャートに従って、キー押下情報Ｂ１を送信する。
【００８２】
図９の場合においても、図６の場合と同様に、キー押下情報Ｂ１、定型音声コマンドＢ２およびＰＴＴ音声データＢ３は、ユーザ２の通信装置２０１が発言権を取得している間であっても随時送受信され、ユーザ１が指定した定型音声は、即時的に、携帯電話機１と通信装置２０１において再生される。
【００８３】
以上、本実施の形態の構成によれば、携帯電話機１が発言権を取得している状態において（図６）、携帯電話機１のＣＰＵ１００は、発言権を取得していないユーザが指定した
定型音声に基づく定型音声コマンドＡ２を受信したとき、定型音声コマンドＡ２に含まれる識別番号に対応する定型音声を、マイク１２が入力した入力音声に合成することによって、ＰＴＴ音声データＡ３を生成し、ＰＴＴサーバ２０２へ送信する。
【００８４】
よって、携帯電話機１が発言権を取得しているときであっても、発言権を有しない通信装置２０１のユーザは、グループ通話の参加者へ即時的に意思表示することができる。
【００８５】
また、携帯電話機１および通信装置２０１のメモリ１０１には、同じ定型音声対応テーブルと定型音声データが記憶されている。また、キー押下情報Ａ１と定型音声コマンドＡ２の送信により、携帯電話機１のＣＰＵ１００は、定型音声コマンドＡ２に含まれる識別番号から、意思表示を行った発言権を有しないユーザが指定した定型音声と同じ定型音声を特定することができる。
【００８６】
また、携帯電話機１が発言権を取得せず、他の通信装置２０１が発言権を取得している状態において（図９）、ユーザ１が所定のキーの押下により定型音声を指定すると、押下されたキーに対応する識別番号を含むキー押下情報Ｂ１がＰＴＴサーバ２０２へ送信される。ＰＴＴサーバ２０２が、発言権を取得している通信装置２０１へ定型音声コマンドＢ２を送信することにより、当該通信装置２０１において、ユーザ１が指定した定型音声に基づくＰＴＴ音声データＢ３が生成される。このＰＴＴ音声データＢ３が、ＰＴＴサーバ２０２によって、発言権を有しない携帯電話機１および通信装置２０１へ送信され、再生される。よって、携帯電話機１が発言権を取得していないときであっても、携帯電話機１のユーザ１は、グループ通話の参加者へ即時的に意思表示することができる。
【００８７】
また、携帯電話機１が発言権を取得している状態において、定型音声コマンドＡ２を受信すると、定型音声コマンドＡ２に基づいた定型音声が、携帯電話機１のスピーカ１４、２２から出力される。よって、携帯電話機１のユーザ１は、ユーザ１自身が発言しているときに、ユーザ１の発言を聞いている他のユーザ２、３の即時的な意思を知ることができる。
【００８８】
＜変更例＞
図１０は、変更例に係る、携帯電話機１が発言権を取得している際に実行される、ＰＴＴ音声データの送信のための処理を説明するフローチャートである。なお、図１０の処理は、通信装置２０１が発言権を取得している際にも実行される。
【００８９】
図１０のフローチャートは、図７のフローチャートのステップＳ１０６の処理を、ステップＳ１３１の処理に置き換えたものである。
【００９０】
ステップＳ１３１において、ＣＰＵ１００は、定型音声の音量がマイク１２からの入力音声の音量より小さくなるよう、定型音声を入力音声に合成する。ＣＰＵ１００は、定型音声の音量を、発言者であるユーザ１の発言内容の聞き取りを阻害しない程度の大きさに調整する。たとえば、定型音声の音量は、マイク１２から入力した、過去所定時間（たとえば数秒間程度）の入力音声の音量の最大値よりも一定の割合（たとえば数十パーセント程度）小さく設定される。
【００９１】
なお、ユーザ１が発言を行っていないと想定される程度に入力音声の音量が小さい（たとえば、バックグラウンドノイズの音量程度に小さい）場合、ＣＰＵ１００は、参加者が聞き取れる程度の音量で、たとえば予め定められた一定の音量で、定型音声を入力音声に合成する。
【００９２】
以上、本変更例の構成によれば、定型音声の音量が入力音声の音量より小さくなるよう
に、定型音声と入力音声とを合成することにより、ＰＴＴ音声データが生成される。この結果、発言権を取得していない携帯電話機１または通信装置２０１から出力されるＰＴＴ音声において、発言権を有するユーザが発した音声は、合成された定型音声よりも大きい。よって、発言権を有しないユーザは、定型音声に阻害されることなく、発言権を有するユーザの発言を聞くことができる。
【００９３】
ユーザ１が発する音声が大きいときには、定型音声の音量が大きく設定され、ユーザ１が発する音声が小さいときには、定型音声の音量が小さく設定される。このため、グループ通話の際の、発言権を有するユーザの発言の音声と定型音声のうち一方が他方の可聴性を低減することが抑制され、発言の音声と定型音声との両方の可聴性のバランスが適度に保たれる。
【００９４】
＜その他＞
以上、本発明の実施の形態について説明したが、本発明は、上記実施の形態によって何ら制限されるものではなく、また、本発明の実施の形態も、上記以外に種々の変更が可能である。
【００９５】
上記実施の形態では、図７の処理の際、ＣＰＵ１００は、定型音声コマンドを受信した場合、マイク１２からの入力音声に、定型音声に含まれる識別番号に対応する定型音声が合成することによって、ＰＴＴ音声データが生成する（Ｓ１０６）。しかしながら、ステップＳ１０６のＰＴＴ音声の生成の処理の際、ＰＴＴ音声データが、入力音声を含まず、定型音声のみから生成されてもよい。この場合、たとえば、定型音声コマンドＡ２が受信されたときにマイク１２からの音声入力があれば、その音声入力が途切れたとき（音声信号がなくなったとき）に、定型音声が送信される。
【００９６】
上記実施の形態では、携帯電話機１が発言権を取得している状態において、ＣＰＵ１００が定型音声コマンドＡ２を受信した場合、携帯電話機１で、当該定型音声コマンドＡ２に含まれる識別番号に対応する定型音声が再生される。しかしながら、定型音声のかわりに、識別情報に対応した所定の振動がバイブレータ１５から出力される構成が採られてもよい。この場合、メモリ１０１は、予め、識別情報に対応したバイブレータ１５の振動パターンを記憶しておく。
【００９７】
また、所定の振動がバイブレータ１５から出力される替わりに、所定のイルミネーションを、キーバックライト１１１が表示する構成が採られてもよい。この場合、メモリ１０１は、予め、識別情報に対応したキーバックライト１１１のイルミネーションパターンを記憶しておく。
【００９８】
上記実施例の構成によれば、図５（ｂ）に例示する定型音声対応テーブルおよびこれに対応する定型音声データがメモリ１０１に記憶される。図５（ｂ）の定型音声対応テーブルはあくまでも一例であり、定型音声対応テーブルに登録される定型音声は、図５（ｂ）に挙げられている音声の他、任意の発言の音声、効果音、音楽等、任意に定められてよい。
【００９９】
また定型音声対応テーブルに登録される定型音声の数は、図５（ｂ）に示される８個に限られる必要はなく、これより多いまたは少ない構成が採られてもよい。
【０１００】
定型音声を特定するための識別番号は、定型音声を特定できる様式の識別情報であれば十分であり、番号である必要はない。識別情報は、たとえば、定型音声に対応するアルファベット等の符号、ラベル等、各種の様式で表されてよい。
【０１０１】
上記実施例の構成によれば、発言権が取得された状態において、受信した識別情報に対応した定型音声に基づくＰＴＴ音声データが生成され、他の通信装置へ送信される。しかしながら、携帯電話機１は、このような定型音声に基づくＰＴＴ音声データが生成されないよう構成が採られてもよい。この場合、発言権を取得していない状態において、所定のキーが押下された場合、当該キーに対応したキー押下情報（Ａ１)が、ＰＴＴサーバ２０
２へ送信される。
【０１０２】
上記実施の形態では、折り畳み式の携帯電話機に本発明が適用されている。しかしながら、これに限らず、ストレート式、スライド式等、他のタイプの携帯電話機に本発明が適用されてもよい。
【０１０３】
さらに、本発明は、携帯電話機に限られず、ＰＤＡ（Personal DigitalAssistant）、
タブレットＰＣ（Tablet PC）、電子書籍端末等の携帯端末装置を含む、各種の通信装置
に適用可能である。
【０１０４】
この他、本発明の実施の形態は、特許請求の範囲に示された技術的思想の範囲内において、適宜、種々の変更が可能である。
【符号の説明】
【０１０５】
１  携帯電話機  （通信装置）
２  ＰＴＴ通信システム  （グループ通信システム）
１１ａ  ダイヤルキー  （操作部）
１２  マイク  （音声入力部）
１４、２２  スピーカ  （音声出力部）
１５  バイブレータ  （報知部）
１００  ＣＰＵ  （管理部、生成部、通話制御部）
１０１  メモリ  （管理部、記憶部）
１０２  通信モジュール  （通信部、第１の通信部）
１１１  キーバックライト  （報知部）
２０１  通信装置
２０２  ＰＴＴサーバ  （管理装置）
２０２ａ  ＣＰＵ  （付与管理部、音声データ送信部、要求部）
２０２ｂ  第２の通信部
【図１】
0005902436.tif 000002
【図２】
0005902436.tif 000003
【図３】
0005902436.tif 000004
【図４】
0005902436.tif 000005
【図５】
0005902436.tif 000006
【図６】
0005902436.tif 000007
【図７】
0005902436.tif 000008
【図８】
0005902436.tif 000009
【図９】
0005902436.tif 000010
【図１０】
0005902436.tif 000011